【手続補正書】
【提出日】平成20年5月26日(2008.5.26)
【手続補正１】
【補正対象書類名】明細書
【補正対象項目名】特許請求の範囲
【補正方法】変更
【補正の内容】
【特許請求の範囲】
【請求項１】  複数の光束を偏向面にて偏向する偏向手段と、前記偏向手段の偏向面で偏向された複数の光束の各光束に対応して設けられた走査レンズとを有し、
前記偏向手段の偏向面で偏向された複数の光束の各光束は互いに異った被走査面の上に導光されている光走査装置において、
前記偏向手段の偏向面から各々の被走査面の上に至る前記偏向手段の偏向面で偏向された複数の光束の各光束の光路長は互いに異なっており、
前記偏向手段の偏向面で偏向された複数の光束の各光束に対応して設けられた走査レンズの焦点距離は互いに異なっており、
各光束の被走査面上への目標入射位置と実際の入射位置とのズレ特性が略一致するように、前記偏向手段の偏向面で偏向された複数の光束の各光束に対応して画像クロックを異ならせることを特徴とする光走査装置。
【請求項２】  複数の光束を偏向面にて偏向する偏向手段と、前記偏向手段の偏向面で偏向された複数の光束の各光束に対応して設けられた走査レンズとを有し、
前記偏向手段の偏向面で偏向された複数の光束の各光束は互いに異った被走査面の上に導光されている光走査装置において、
前記偏向手段の偏向面から各々の被走査面の上に至る前記偏向手段の偏向面で偏向された複数の光束の各光束の光路長は互いに異なっており、
前記光路長が長い前記偏向手段と前記被走査面の間の光路の中に焦点距離の長い走査レンズが設けられ、前記光路長が短い前記偏向手段と前記被走査面の間の光路の中に焦点距離の短い走査レンズが設けられており、
前記複数の走査レンズのうち焦点距離が長い走査レンズが設けられた側の画像クロックは、前記複数の走査レンズのうち焦点距離が短い走査レンズが設けられた側の画像クロックより小さいことを特徴とする光走査装置。
【請求項３】  前記焦点距離が長い走査レンズを通過する光束の光強度は、前記焦点距離が短い走査レンズを通過する光束の光強度に比べて強いことを特徴とする請求項２に記載の光走査装置。
【請求項４】 請求項１乃至３の何れか１項に記載の光走査装置と外部機器から入力した色信号を異なった色の画像データに変換して画像形成装置に入力せしめるプリンタコントローラを有していることを特徴とする画像形成装置。
【手続補正２】
【補正対象書類名】明細書
【補正対象項目名】００１５
【補正方法】変更
【補正の内容】
【００１５】
【課題を解決するための手段】
請求項１の発明の光走査装置は、複数の光束を偏向面にて偏向する偏向手段と、前記偏向手段の偏向面で偏向された複数の光束の各光束に対応して設けられた走査レンズとを有し、
前記偏向手段の偏向面で偏向された複数の光束の各光束は互いに異った被走査面の上に導光されている光走査装置において、
前記偏向手段の偏向面から各々の被走査面の上に至る前記偏向手段の偏向面で偏向された複数の光束の各光束の光路長は互いに異なっており、
前記偏向手段の偏向面で偏向された複数の光束の各光束に対応して設けられた走査レンズの焦点距離は互いに異なっており、
各光束の被走査面上への目標入射位置と実際の入射位置とのズレ特性が略一致するように、前記偏向手段の偏向面で偏向された複数の光束の各光束に対応して画像クロックを異ならせることを特徴としている。
【手続補正３】
【補正対象書類名】明細書
【補正対象項目名】００１６
【補正方法】変更
【補正の内容】
【００１６】
請求項２の発明の光走査装置は、複数の光束を偏向面にて偏向する偏向手段と、前記偏向手段の偏向面で偏向された複数の光束の各光束に対応して設けられた走査レンズとを有し、
前記偏向手段の偏向面で偏向された複数の光束の各光束は互いに異った被走査面の上に導光されている光走査装置において、
前記偏向手段の偏向面から各々の被走査面の上に至る前記偏向手段の偏向面で偏向された複数の光束の各光束の光路長は互いに異なっており、
前記光路長が長い前記偏向手段と前記被走査面の間の光路の中に焦点距離の長い走査レンズが設けられ、前記光路長が短い前記偏向手段と前記被走査面の間の光路の中に焦点距離の短い走査レンズが設けられており、
前記複数の走査レンズのうち焦点距離が長い走査レンズが設けられた側の画像クロックは、前記複数の走査レンズのうち焦点距離が短い走査レンズが設けられた側の画像クロックより小さいことを特徴としている。
【手続補正４】
【補正対象書類名】明細書
【補正対象項目名】００１７
【補正方法】変更
【補正の内容】
【００１７】
請求項３の発明は請求項２の発明において、前記焦点距離が長い走査レンズを通過する光束の光強度は、前記焦点距離が短い走査レンズを通過する光束の光強度に比べて強いことを特徴としている。
【手続補正５】
【補正対象書類名】明細書
【補正対象項目名】００１８
【補正方法】変更
【補正の内容】
【００１８】
請求項４の発明の画像形成装置は、請求項１乃至３の何れか１項に記載の光走査装置と外部機器から入力した色信号を異なった色の画像データに変換して画像形成装置に入力せしめるプリンタコントローラを有していることを特徴としている。
【手続補正６】
【補正対象書類名】明細書
【補正対象項目名】００１９
【補正方法】削除
【補正の内容】
【手続補正７】
【補正対象書類名】明細書
【補正対象項目名】００２０
【補正方法】削除
【補正の内容】
【手続補正８】
【補正対象書類名】明細書
【補正対象項目名】００２１
【補正方法】削除
【補正の内容】
【手続補正９】
【補正対象書類名】明細書
【補正対象項目名】００２２
【補正方法】削除
【補正の内容】
【手続補正１０】
【補正対象書類名】明細書
【補正対象項目名】００２３
【補正方法】削除
【補正の内容】
【手続補正１１】
【補正対象書類名】明細書
【補正対象項目名】００２４
【補正方法】削除
【補正の内容】
【手続補正１２】
【補正対象書類名】明細書
【補正対象項目名】００２５
【補正方法】削除
【補正の内容】
【手続補正１３】
【補正対象書類名】明細書
【補正対象項目名】００２６
【補正方法】削除
【補正の内容】
【手続補正１４】
【補正対象書類名】明細書
【補正対象項目名】００２７
【補正方法】削除
【補正の内容】
【手続補正１５】
【補正対象書類名】明細書
【補正対象項目名】００２８
【補正方法】削除
【補正の内容】
【手続補正１６】
【補正対象書類名】明細書
【補正対象項目名】００２９
【補正方法】削除
【補正の内容】
【手続補正１７】
【補正対象書類名】明細書
【補正対象項目名】００３０
【補正方法】削除
【補正の内容】
【手続補正１８】
【補正対象書類名】明細書
【補正対象項目名】００３１
【補正方法】削除
【補正の内容】
【手続補正１９】
【補正対象書類名】明細書
【補正対象項目名】００３２
【補正方法】削除
【補正の内容】
【手続補正２０】
【補正対象書類名】明細書
【補正対象項目名】００３３
【補正方法】削除
【補正の内容】
【手続補正２１】
【補正対象書類名】明細書
【補正対象項目名】００３４
【補正方法】削除
【補正の内容】
【手続補正２２】
【補正対象書類名】明細書
【補正対象項目名】００３５
【補正方法】削除
【補正の内容】
【手続補正２３】
【補正対象書類名】明細書
【補正対象項目名】００３９
【補正方法】変更
【補正の内容】
【００３９】
２，３，４，５は各々順にマゼンタ用、イエロー用、シアン用、ブラック用の第１の走査レンズ、６，７，８，９は各々順にマゼンタ用、イエロー用、シアン用、ブラック用の第２の走査レンズであり、光偏向器１で反射偏向する各光束毎に対応して設けられている。尚、第１、第２の２枚の走査レンズで走査レンズ系（ｆθレンズ系）を構成している。
【手続補正２４】
【補正対象書類名】明細書
【補正対象項目名】００４０
【補正方法】変更
【補正の内容】
【００４０】
本実施形態において各走査レンズの焦点距離は互いに異なっている。つまり光偏向器１から各々の被走査面としての感光ドラム面上に至る光路の光路長が互いに異なっている。本実施形態では各光束の感光ドラム面上（被走査面上）への目標入射位置と実際の入射位置とのズレ特性（fθ特性）が略一致するように構成している。
【手続補正２５】
【補正対象書類名】明細書
【補正対象項目名】００４６
【補正方法】変更
【補正の内容】
【００４６】
このときイエロー用の光路１８とマゼンタ用の光路１９ではイエロー用の光路１８の方が光路長が長くなっている。したがってｆθレンズの焦点距離はイエロー用のｆθレンズ３、７の方がマゼンタ用のｆθレンズ２、６よりも長くなり、即ち互いに異なっており図２に示すように主走査断面内の光線到達位置は、光偏向器１より同じ角度で反射偏向した光束であっても、感光ドラム面上においてイエロー用の光束の像高ＩＨＹがマゼンタ用に光束の像高ＩＨＭに比べて高い位置に到達する。
【手続補正２６】
【補正対象書類名】明細書
【補正対象項目名】００５１
【補正方法】変更
【補正の内容】
【００５１】
即ち、本実施形態ではマゼンタ用の感光ドラム１５を走査するための走査光学系の焦点距離をｆ１、イエロー用の感光ドラム１４を走査するための走査光学系の焦点距離をｆ２とし、マゼンタ用の画像クロックをＴ１、イエロー用の画像クロックをＴ２とした時に、ｆ１＊Ｔ１＝ｆ２＊Ｔ２と成るように画像クロックを決めている。ここで焦点距離ｆ１、ｆ２は前述した如くｆ１≠ｆ２である。